(57)【要約】      （修正有）【課題】防犯ブザー等の音発生装置から発生する音を停止させる操作をする人の生体情報を得られる電子機器を提供する。【解決手段】電子機器１０は、筐体１２と、音発生装置と、操作部材３０と、状態判別装置と、接触面７２Ａを有する指紋情報検出部と、を備える。音発生装置は、筐体１２に設けられ、警報音を発生する。操作部材３０は、筐体１２に設けられ、音発生装置の警報音を停止する操作を受け付ける。状態判別装置は、操作部材３０が操作を受け付けたか否かを判定する。指紋情報検出部は、操作部材３０に設けられ、状態判別装置が操作を受け付けたと判定したときに操作部材３０を操作する操作者の生体情報を検出する。【選択図】図７
2019074908.tif 000002
【特許請求の範囲】
【請求項１】
筐体と、
前記筐体に設けられ、警報音を発生する音発生装置と、
前記筐体に設けられ、前記音発生装置の警報音を停止する操作を受け付ける操作部材と、
前記操作部材が前記操作を受け付けたか否かを判定する状態判定部と、
前記操作部材に設けられ、前記状態判定部が前記操作を受け付けたと判定したときに該操作部材を操作する操作者の生体情報を検出する生体情報検出部と、
を備える電子機器。
【請求項２】
前記操作部材は、前記音発生装置に警報音を発生させる音発生操作状態と、前記音発生装置に警報音を発生させない音停止操作状態とに切り替えられ、
前記生体情報検出部は、操作者が前記操作部材を前記音発生操作状態から音停止操作状態に切り替える操作に伴って、該操作者の生体情報を検出する、
請求項１に記載の電子機器。
【請求項３】
前記操作部材は、前記筐体に引き出し可能に収容され、
前記操作部材は、前記筐体から引き出された状態で前記音発生操作状態となり、前記筐体に収容された状態で前記音停止操作状態となる、
請求項２に記載の電子機器。
【請求項４】
前記生体情報検出部は、前記操作部材の引き出し方向の先端部に設けられる、
請求項３に記載の電子機器。
【請求項５】
操作者が前記操作部材を前記音発生操作状態から前記音停止操作状態へ切り替える操作に伴って、前記生体情報検出部が検出した生体情報と、認証用生体情報とを比較し、生体認証する音停止認証部と、
前記音停止認証部による生体認証が成功した場合、前記音発生装置に音を停止させる音停止部と、
を備える請求項２〜請求項４の何れか１項に記載の電子機器。
【請求項６】
前記生体情報検出部が検出した生体情報を、所定の送信先に送信する生体情報送信部を備え、
前記生体情報送信部は、前記音停止認証部による生体認証が失敗した場合、前記生体情報検出部が検出した生体情報を前記送信先に送信する、
請求項５に記載の電子機器。
【発明の詳細な説明】
【技術分野】
【０００１】
本願が開示する技術は、電子機器に関する。
【背景技術】
【０００２】
防犯ブザー等の音発生装置と、音発生装置を操作する操作ボタンとを備える電子機器がある（例えば、特許文献１，２参照）。
【０００３】
また、指紋検出装置を備える電子機器がある（例えば、特許文献３参照）。
【先行技術文献】
【特許文献】
【０００４】
【特許文献１】特開２００２−０５７８１６号公報
【特許文献２】特開２００５−３５４３８２号公報
【特許文献３】特開平０５−１３５２８７号公報
【発明の概要】
【発明が解決しようとする課題】
【０００５】
電子機器の所持者は、例えば、不審者等から身の危険等を感じたときに、操作ボタンを操作する。これにより、音発生装置から警報等の音が発生される。
【０００６】
ところで、上記のような状況では、不審者等の第三者を特定する手掛かりとして、電子機器を操作する人の生体情報を得ることが望ましい。
【０００７】
本願が開示する技術は、一つの側面として、電子機器が発生する音を停止させる操作をする人の生体情報を得ることを目的とする。
【課題を解決するための手段】
【０００８】
本願が開示する技術では、電子機器は、筐体と、音発生装置と、操作部材と、状態判別装置と、指紋情報検出部と、を備える。音発生装置は、筐体に設けられ、警報音を発生する。操作部材は、筐体に設けられ、音発生装置の警報音を停止する操作を受け付ける。状態判別装置は、操作部材が操作を受け付けたか否かを判定する。指紋情報検出部は、操作部材に設けられ、状態判別装置が操作を受けたと判定したときに操作部材を操作する操作者の生体情報を検出する。
【発明の効果】
【０００９】
本願が開示する技術によれば、一つの側面として、電子機器が発生する音を停止させる操作をする人の生体情報を得ることを目的とする。
【図面の簡単な説明】
【００１０】
【図１】図１は、一実施形態に係る電子機器を表示部側から見た前面図である。
【図２】図２は、図１に示される電子機器の側面図である。
【図３】図３は、図１の３−３線断面図である。
【図４】図４は、図３の一部拡大断面図である。
【図５】図５は、筐体から操作部材が引き出された電子機器を示す図３に対応する断面図である。
【図６】図６は、図５の一部拡大断面図である。
【図７】図７は、筐体から操作部材が引き出された電子機器を示す図１に対応する前面図である。
【図８】図８は、図７の８−８線断面図である。
【図９】図９は、図１に示される電子機器の機能を示すブロック図である。
【図１０】図１０は、図１に示される電子機器を構成するハードウェアを示すハードウェア構成図である。
【図１１】図１１は、図１０に示される記憶部に記憶される送信先、認証用指紋情報、及び検出指紋情報のデータイメージを示すテーブルである。
【図１２】図１２は、画面ロック解除判定プログラムの各ステップを示すフローチャートである。
【図１３】図１３は、音停止認証プログラムの各ステップを示すフローチャートである。
【図１４】図１４は、一実施形態に係る電子機器の変形例を示す図１に対応する前面図である。
【図１５】図１５は、図１３に示される音停止認証プログラムの変形例を示すフローチャートである。
【図１６】図１６は、図１４に示される電子機器、及び当該電子機器を操作する操作者を示す側面図である。
【発明を実施するための形態】
【００１１】
以下、本願が開示する技術の一実施形態について説明する。
【００１２】
（電子機器）
図１及び図２に示されるように、本実施形態に係る電子機器１０は、例えば、携帯電話又はタブレット端末等の携帯端末とされる。図３に示されるように、電子機器１０は、筐体１２と、音発生装置２４（図２参照）と、状態判別装置４０と、操作部材３０と、指紋情報検出部７２とを備える。
【００１３】
なお、各図において適宜示される矢印Ｕは、電子機器１０（筐体１２）の上下方向の上側を示す。また、矢印Ｗは、電子機器１０（筐体１２）の幅方向を示す。さらに、矢印Ｔは、電子機器１０（筐体１２）の厚み方向を示す。
【００１４】
（筐体）
図１及び図２に示されるように、筐体１２は、扁平な箱状に形成される。また、筐体１２は、当該筐体１２の厚み方向（矢印Ｔ方向）から見て、矩形状に形成される。この筐体１２は、当該筐体１２の厚み方向に分割されるフロントケース１４及びバックケース１６を有する。
【００１５】
フロントケース１４は、筐体１２の前面側に配置される。一方、バックケース１６は、筐体１２の後面側に配置される。図１に示されるように、このフロントケース１４の上部には、表示部１８が設けられる。
【００１６】
表示部１８は、例えば、液晶表示器とされており、筐体１２に収容される。また、表示部１８は、画像や映像等を表示する画面１８Ａを有する。この画面１８Ａは、フロントケース１４の中央部に形成された窓部から露出される。また、フロントケース１４の下部には、複数の操作ボタン２０が設けられる。
【００１７】
表示部１８の画面１８Ａは、後述する制御部８０（図９参照）によって、操作者による電子機器１０の操作が可能な画面アンロック状態と、操作者による電子機器１０の操作が制限された画面ロック状態とに切り替え可能とされる。
【００１８】
なお、表示部１８の画面１８Ａは、利用者が指又はペン等でタッチ操作可能な操作面とされても良い。
【００１９】
図３に示されるように、筐体１２には、基板２２が収容される。基板２２は、例えば、矩形の板状に形成される。この基板２２には、後述するcentral processing unit（ＣＰＵ）１００及びメモリ１０２（図１０参照）等の電子部品が実装される。また、基板２２は、筐体１２におけるバックケース１６側に収容される。なお、基板２２は、例えば、図示しないビス等の固定部材によって筐体１２に固定される。
【００２０】
（音発生装置）
図２に示されるように、筐体１２には、音発生装置２４が収容される。音発生装置２４は、例えば、警報等の音を発生する防犯ブザー（警報発生装置）とされる。また、音発生装置２４は、音を発生する作動状態と、音を発生しない停止状態とに切り替えられる。この音発生装置２４は、例えば、筐体１２の上部におけるバックケース１６側に収容される。
【００２１】
なお、音発生装置２４には、後述する制御部８０（図９参照）が電気的に接続される。この制御部８０によって、音発生装置２４の作動状態と停止状態とが切り替えられる。
【００２２】
（操作部材）
操作部材３０は、筐体１２の長手方向（矢印Ｕ方向）に沿った端部に設けられる。また、操作部材３０は、筐体１２に引き出し可能に収容される。この操作部材３０は、操作者によって操作されることにより、音発生装置２４に音を発生させる音発生操作状態（図５に示される状態）と、音発生装置２４に音を発生させない音停止操作状態（図３に示される状態）とに切り替えられる。この操作部材３０の音発生操作状態及び音停止操作状態は、後述する状態判別装置４０（図３参照）によって判別される。
【００２３】
図３に示されるように、筐体１２の端部における側壁部１２Ｓには、開口３２が形成される。この開口３２に、操作部材３０が筐体１２の幅方向にスライド可能に挿入される。なお、各図に示される矢印Ｍは、操作部材３０のスライド方向を示す。
【００２４】
操作部材３０は、筐体１２の側壁部１２Ｓの内側に配置された筒状のガイド部材３４の内部に挿入される。このガイド部材３４によって、操作部材３０が移動可能に支持される。また、操作部材３０の外周面には、防水用のシール部材３６が設けられる。このシール部材３６によって、操作部材３０とガイド部材３４との隙間が密封される。
【００２５】
操作部材３０のスライド方向（矢印Ｍ方向）の一端部は、操作部３０Ｓとされる。操作部３０Ｓは、筐体１２の開口３２から筐体１２内に突出される。この操作部３０Ｓには、操作用突起部３８が設けられる。操作用突起部３８は、操作部３０Ｓから筐体１２の厚み方向の一方側へ突出する。この操作用突起部３８には、例えば、操作者が操作部材３０を筐体１２から引き出す際に、操作者の指が引っ掛けられる。
【００２６】
なお、操作部材３０の操作部３０Ｓは、操作部材３０の引き出し方向の先端部の一例である。
【００２７】
操作部材３０のスライド方向の他端部は、押圧部３０Ｐとされる。この押圧部３０Ｐは、操作者によって操作部材３０が音発生操作状態から音停止操作状態に切り替えられたときに、後述する状態判別装置４０の回動体４６を押圧する。
【００２８】
（状態判別装置）
状態判別装置４０は、操作部材３０の音発生操作状態と音停止操作状態とを判別する。この状態判別装置４０は、基板２２におけるフロントケース１４側に実装される。なお、状態判別装置４０は、状態判定部の一例である。
【００２９】
図４に示されるように、状態判別装置４０は、ケース４２と、内部スイッチ４４と、回動体４６と、弾性体５０とを有する。ケース４２は、フロントケース１４側が開口された箱状に形成される。このケース４２内には、内部スイッチ４４が設けられる。
【００３０】
内部スイッチ４４は、ケース４２の内側の側面に設けられる。この内部スイッチ４４には、後述する制御部８０（図９参照）が電気的に接続される。また、ケース４２には、回動体４６が突出可能に収容される。
【００３１】
回動体４６は、回動軸４８を介してケース４２に連結される。また、回動体４６は、回動軸４８を中心した回動に伴って、ケース４２から突出する突出状態と、ケース４２に収容される収容状態とに変移される。この回動体４６には、弾性体５０が設けられる。
【００３２】
弾性体５０は、例えば、トーションバネとされる。また、弾性体５０の一端部は、回動体４６に固定される。一方、弾性体５０の他端部は、ケース４２に引っ掛けられる。この弾性体５０によって、回動体４６がケース４２から突出させる方向（矢印ｆ方向）に付勢される。
【００３３】
ここで、図３及び図４に示されるように、操作部材３０が筐体１２に収容された音停止操作状態では、回動体４６がケース４２に収容される収容状態となる。この収容状態では、回動体４６の一端部４６Ａによって内部スイッチ４４が押される。これにより、内部スイッチ４４から制御部８０に音停止操作信号が送信される。
【００３４】
一方、図５及び図６に示されるように、操作部材３０が筐体１２から引き出された音発生操作状態では、回動体４６がケース４２から突出する突出状態となる。この突出状態では、回動体４６の一端部４６Ａが内部スイッチ４４から離れ、回動体４６による内部スイッチ４４の押し込み状態が解除される。これにより、内部スイッチ４４から後述する制御部８０（図９参照）に音発生操作信号が送信される。
【００３５】
また、回動体４６の突出状態では、操作部材３０の押圧部３０Ｐの移動軌道上に回動体４６が配置される。この状態で、操作者によって操作部材３０が音発生操作状態から音停止操作状態に切り替えられると、操作部材３０の押圧部３０Ｐによって回動体４６の他端部４６Ｂが押圧される。これにより、図３及び図４に示されるように、回動体４６がケース４２内へ押し込まれ、回動体４６が突出状態から収容状態に変移される。
【００３６】
（ボタン装置）
図５に示されるように、操作部材３０の操作部３０Ｓには、ボタン装置６０が設けられる。ボタン装置６０は、押ボタン６２と、弾性体６６と、スイッチ６８と、指紋情報検出部７２とを有する。
【００３７】
押ボタン６２は、操作部３０Ｓに形成された凹部６４を塞ぐように配置される。この押ボタン６２は、弾性体６６を介して凹部６４の外周部に支持される。また、押ボタン６２の内面には、スイッチ６８が設けられる。スイッチ６８は、例えば、タクタイルスイッチとされる。
【００３８】
スイッチ６８は、凹部６４の底壁部から突出する突出部７０と対向する。このスイッチ６８には、後述する制御部８０（図９参照）が電気的に接続される。
【００３９】
（指紋センサ部）
押ボタン６２の外面には、指紋情報検出部７２が設けられる。指紋情報検出部７２は、操作者の指が接触される接触面７２Ａを有する。また、指紋情報検出部７２は、例えば、エリア型の指紋センサとされる。この指紋情報検出部７２は、接触面７２Ａに接触された操作者の指から指紋情報を検出する。指紋情報検出部７２は、特徴量としてマニューシャを用いて指紋情報を検出する。この場合、隆線が途切れる点である端点、隆線が分岐する分岐点、指紋紋様の中心である中心点、隆線の三方向からの集まりである三角州などの特徴点、それぞれの関係等が特徴量となる。なお、指紋情報検出部７２は、生体情報検出部の一例である。
【００４０】
ここで、図７及び図８に示されるように、操作者が指紋情報検出部７２の接触面７２Ａを介して押ボタン６２を筐体１２側へ押すと、弾性体６６が圧縮変形（弾性変形）し、指紋情報検出部７２、押ボタン６２、及びスイッチ６８が一体となって突出部７０側へ移動する。これにより、突出部７０によってスイッチ６８が押される。この結果、スイッチ６８が、ボタン操作情報を制御部８０に送信する。
【００４１】
なお、図３及び図５に示されるように、指紋情報検出部７２及びスイッチ６８は、例えば、フレキシブルケーブル７４、補強板７６、コネクタ７８を介して基板２２におけるバックケース１６側に電気的に接続される。
【００４２】
（制御部）
次に、制御部について説明する。
【００４３】
図９に示されるように、制御部８０は、機能として、画像切替認証部８２と、画像切替部８４と、音発生部９０と、音停止認証部９２と、音停止部９４と、生体情報送信部９６とを有する。これらの画像切替認証部８２、画像切替部８４、音発生部９０、音停止認証部９２、音停止部９４、及び生体情報送信部９６の各機能については、制御部８０の動作と共に後述する。
【００４４】
図１０に示されるように、制御部８０は、例えば、コンピュータで実現される。コンピュータは、ＣＰＵ１００、一時記憶領域としてのメモリ１０２、不揮発性の記憶部１０４、及びインターネット等のネットワークに接続される通信インターフェース１０６を備える。これらのＣＰＵ１００、メモリ１０２、記憶部１０４、及び通信インターフェース１０６は、互いに電気的に接続される。
【００４５】
記憶部１０４は、例えば、Hard Disk Drive（ＨＤＤ）又はフラッシュメモリ等で実現される。この記憶部１０４には、電子機器１０の動作を制御する各種のプログラムが記憶される。そして、ＣＰＵ１００は、記憶部１０４からプログラムを読み出してメモリ１０２に展開し、プログラムの各ステップを順次実行する。この際、ＣＰＵ１００は、実行するプログラムに応じて、画像切替認証部８２、画像切替部８４、音発生部９０、音停止認証部９２、音停止部９４、又は生体情報送信部９６として機能する。
【００４６】
また、記憶部１０４には、認証用指紋情報、及び送信先が予め記憶される。認証用指紋情報は、例えば、電子機器１０の所持者の指紋情報である。この認証用指紋情報は、後述する表示部１８の画面ロック状態を解除する場合、及び音発生装置２４の音を停止する場合に、認証情報として用いられる。
【００４７】
送信先は、例えば、電場番号又はメールアドレスとされる。この送信先は、後述する生体情報送信部９６で用いられる。なお、認証用指紋情報、送信先、及び後述する検出指紋情報は、例えば、図１１に示されるようなテーブルイメージで記憶部１０４に記憶される。また、記憶部１０４は、認証用生体情報記憶部及び送信先記憶部の一例である。
【００４８】
（作用）
次に、本実施形態の作用について説明する。
【００４９】
（画面ロック解除方法）
先ず、表示部１８の画面ロック状態を解除する方法について説明する。なお、表示部１８の画面ロック状態とは、操作者による電子機器１０の操作を制限するために、表示部１８の画面１８Ａの切り替えが禁止された状態である。
【００５０】
図３及び図４には、表示部１８が画面ロック状態で、かつ、操作部材３０が音停止操作状態の電子機器１０が示される。この状態では、操作部材３０の押圧部３０Ｐによって状態判別装置４０の回動体４６がケース４２内に収容され、回動体４６によって内部スイッチ４４が押される。
【００５１】
この状態から、先ず、操作者が指紋情報検出部７２の接触面７２Ａを介して押ボタン６２を押すと、弾性体６６が圧縮変形し、突出部７０によってスイッチ６８が押される。これにより、スイッチ６８が、押ボタン６２の操作情報を制御部８０（図９参照）に通知する。押ボタン６２の操作情報を受信した制御部８０は、図１２に示される画面ロック解除認証プログラムの各ステップを実行する。
ここで、図１２を用いて画面ロック解除認証プログラムの各ステップを説明する。
【００５２】
ステップＳ１１では、制御部８０は指紋情報検出部７２の接触面７２Ａに接触された操作者の指から指紋情報を検出し、ステップＳ１２へ移行する。
【００５３】
ステップＳ１２では、制御部８０が画像切替認証部８２として機能する。すなわち、画像切替認証部８２は、記憶部１０４（図１０参照）に予め記憶された認証用指紋情報を読み出し、当該認証用指紋情報と、指紋情報検出部７２で検出された指紋情報とを比較（照合）する。
【００５４】
そして、画像切替認証部８２による生体認証が成功した場合は、ステップＳ１３に移行する。
ステップＳ１３では、制御部８０が画像切替部８４として機能する。すなわち、制御部８０は、表示部１８の画面１８Ａに表示された画像を切り替え、画面１８Ａを画面ロック状態から画面アンロック状態にして処理を終了する。これにより、操作者による電子機器１０の操作が可能になる。
【００５５】
一方、ステップＳ１２において、画像切替認証部８２による生体認証が失敗した場合は、ステップＳ１４へ移行する。
ステップＳ１４では、制御部８０は、表示部１８の画面１８Ａに、例えば、指紋認証に失敗した旨のメッセージを表示して処理を終了する。
【００５６】
（警報発生方法）
次に、音発生装置２４から警報を発生させる方法について説明する。
【００５７】
図３及び図４には、操作部材３０が音停止操作状態の電子機器１０が示される。この状態から、先ず、操作者は、操作部材３０の操作部３０Ｓ及び操作用突起部３８を把持し、操作部材３０を筐体１２から引き出す。これにより、操作部材３０が音停止操作状態から音発生操作状態に切り替えられる。
【００５８】
図５及び図６に示されるように、操作部材３０が音停止操作状態から音発生操作状態に切り替えられると、操作部材３０の押圧部３０Ｐが回動体４６の他端部４６Ｂ上をスライドする。これにより、弾性体５０の付勢力（図４に示される矢印ｆ）によって回動体４６が回動軸４８を中心として回動され、ケース４２から突出される。つまり、回動体４６が、ケース４２に収容された収容状態から、ケース４２から突出する突出状態に変移される。
【００５９】
ここで、回動体４６が収容状態から突出状態に変移されると、回動体４６による内部スイッチ４４の押し込み状態が解除され、内部スイッチ４４が制御部８０に音発生操作信号を送信する。
【００６０】
音発生操作信号を受信した制御部８０は、音発生部９０（図９参照）として機能する。すなわち、音発生部９０は、音発生装置２４に作動信号を送信し、当該音発生装置２４を作動させる。これにより、音発生装置２４から警報等の音が発生される。
【００６１】
（警報停止方法）
次に、操作者が音発生装置２４の警報を停止する方法について説明する。
【００６２】
図５及び図６には、操作部材３０が音発生操作状態の電子機器１０が示される。なお、操作部材３０の音発生操作状態では、前述したように、音発生装置２４から警報等の音が発生される。
【００６３】
この状態から、図７及び図８に示されるように、先ず、操作者は、指紋情報検出部７２の接触面７２Ａを介してボタン装置６０の押ボタン６２を筐体１２側へ押し、操作部材３０を筐体１２に収容する。これにより、操作部材３０が、音発生操作状態から音停止操作状態に切り替えられる。
【００６４】
操作部材３０が音発生操作状態から音停止操作状態に切り替えられると、操作部材３０の押圧部３０Ｐによって回動体４６の他端部４６Ｂがケース４２側へ押圧される。これにより、回動体４６が回動軸４８を中心として回動し、回動体４６がケース４２内に収容される。つまり、回動体４６が、ケース４２から突出した突出状態から、ケース４２に収容される収容状態に変移される。
【００６５】
ここで、回動体４６が突出状態から収容状態に変移されると、回動体４６の一端部４６Ａによって内部スイッチ４４が押され、内部スイッチ４４が制御部８０に音停止操作信号が送信する。
ここで、図１３を用いて音停止認証プログラムの各ステップを説明する。制御部８０は音停止操作信号を受信したときに音停止認証プログラムの各ステップを実行する。なお、音停止認証プログラムの実行中は、前述した画面ロック解除認証プログラムが実行されないように制御される。
【００６６】
ステップＳ２１では、制御部８０は指紋情報検出部７２の接触面７２Ａに接触された操作者の指Ｆ（図８参照）から指紋情報を検出し、ステップＳ２２へ移行する。なお、制御部８０は、操作者によって操作部材３０の操作部３０Ｓが筐体１２側へ押し込まれたときに指紋センサ（指紋情報検出部７２）の検出処理を開始してもよい。また、制御部８０は、押ボタン６２の操作情報を受信したときに、指紋センサ（指紋情報検出部７２）の検出処理を開始してもよい。また、制御部８０は、内部スイッチ４４から音停止操作信号を受信したときに、指紋センサ（指紋情報検出部７２）の検出処理を開始してもよい。
【００６７】
ステップＳ２２では、音停止認証部９２は、記憶部１０４から認証用指紋情報を読み出し、当該認証用指紋情報と、指紋情報検出部７２で検出された指紋情報とを比較（照合）する。なお、制御部８０は、音停止認証部９２として機能する。
【００６８】
音停止認証部９２による生体認証が成功した場合は、制御部８０は、ステップＳ２３に移行する。ステップＳ２３では、制御部８０が音停止部９４として機能する。すなわち、音停止部９４は、音発生装置２４に停止信号を送信し、当該音発生装置２４に警報等の音を停止させる。
【００６９】
一方、ステップＳ２２において、音停止認証部９２による生体認証が失敗した場合は、ステップＳ２４へ移行する。なお、音停止認証部９２は、生体認証が失敗した場合にステップＳ２１に移行し、ステップＳ２１およびステップＳ２２の処理を予め設定された回数に至るまで繰り返してもよい。これにより、所有者（所持者）であるにもかかわらず生体認証が失敗したユーザの再認証をすることができる。
【００７０】
ステップＳ２４では、制御部８０が、指紋情報検出部７２が検出した操作者の指紋情報を、検出指紋情報として記憶部１０４に記憶し、ステップＳ２５へ移行する。
【００７１】
ステップＳ２５では、制御部８０が生体情報送信部９６として機能する。すなわち、生体情報送信部９６は、記憶部１０４から所定の送信先１及び送信先２（図１１参照）を読み出す。そして、指紋情報検出部７２によって検出された操作者の指紋情報（検出指紋情報）を送信先１及び送信先２にそれぞれ送信し、処理を終了する。
【００７２】
なお、生体情報送信部９６は、送信先１及び送信先２の少なくとも一方に、生体情報を送信することができる。
【００７３】
（効果）
次に、本実施形態の効果について説明する。
【００７４】
電子機器１０の所持者は、例えば、不審者等の第三者から身の危険等を感じたときに、筐体１２から操作部材３０を筐体１２から引き出す。これにより、前述したように、音発生装置２４が警報等の音が発生される。このように本実施形態では、音発生装置２４から警報等の音を容易に発生させることができる。
【００７５】
一方、音発生装置２４の音を停止する際には、電子機器１０の所持者は、操作部材３０の操作部３０Ｓを筐体１２側へ押し込み、操作部材３０を筐体１２に収容する。
【００７６】
ここで、第三者によって操作部材３０の操作部３０Ｓが筐体１２側へ押し込まれ、音発生装置２４の音が停止される可能性がある。この対策として本実施形態では、操作部材３０によって音発生装置２４の音が停止される際に、生体認証が行われる。
【００７７】
具体的には、操作部材３０の操作部３０Ｓに、指紋情報検出部７２が設けられる。指紋情報検出部７２は、操作者によって操作部材３０の操作部３０Ｓが筐体１２側へ押し込まれたときに、接触面７２Ａに接触された操作者の指Ｆ（図８参照）から指紋情報を検出する。
【００７８】
次に、制御部８０（音停止認証部９２）は、指紋情報検出部７２によって検出された操作者の指紋情報と、電子機器１０の記憶部１０４に予め記憶された認証用指紋情報とに基づいて、生体認証を行う。そして、制御部８０（音停止部９４）は、生体認証が成功した場合にのみ、音発生装置２４に音を停止させる。
【００７９】
そのため、記憶部１０４に指紋情報（認証用指紋情報）が記憶された者以外の第三者が、音発生装置２４の音を停止することが防止される。したがって、電子機器１０の防犯性能が高められる。
【００８０】
また、制御部８０による生体認証が失敗した場合、制御部８０は、指紋情報検出部７２によって検出された操作者の指紋情報を、記憶部１０４に検出指紋情報として記憶する。さらに、制御部８０（生体情報送信部９６）は、指紋情報検出部７２によって検出された操作者の指紋情報を、記憶部１０４に予め記憶された送信先（送信先１及び送信先２）に送信する。したがって、電子機器１０から指紋情報を受信した者は、操作部材３０を操作した第三者の手掛かりを得ることができる。
【００８１】
さらに、本実施形態では、操作部材３０が筐体１２から引き出された状態で、音発生装置２４から警報等の音が発生される。そのため、第三者は、操作部材３０に気づき易い。したがって、第三者が音発生装置２４の音の停止方法を知らない場合であっても、操作部材３０の操作部３０Ｓを筐体１２側へ押すように、第三者を仕向けることができる。したがって、第三者の指紋情報を取得し易くなる。
【００８２】
しかも、本実施形態では、画像切替認証部８２で使用される指紋情報検出部７２が、音停止認証部９２に流用される。したがって、指紋情報検出部７２の数を低減することができる。
【００８３】
（変形例）
次に、上記実施形態の変形例について説明する。
【００８４】
図１４に示されるように、電子機器１０には、操作部材３０の操作者を撮影するカメラ装置１１０が設けられても良い。具体的には、カメラ装置１１０は、例えば、フロントケース１４における表示部１８の上側に設けられる。
ここで、図１５を用いて変形例の音停止認証プログラムの各ステップを説明する。なお、変形例の音停止認証プログラムの各ステップは、図１３を用いて説明した音停止認証プログラムのステップＳ２５およびステップＳ２６が異なる。従って、ステップＳ２１〜ステップＳ２４については、図１３に示される音停止認証プログラムと同じであるため説明を省略する。なお、ステップ２４の後は、ステップＳ２５に移行する。
【００８５】
ステップＳ２５では、制御部８０がカメラ装置１１０を起動して写真を撮影する。
【００８６】
これにより、例えば、図１６に示されるように、筐体１２の周囲にいる第三者がカメラ装置１１０によって撮影される。つまり、音停止認証部９２による生体認証が失敗した場合、警告等の音を停止しようとした操作者は、不審者である可能性がある。このとき、カメラ装置１１０は、当該不審者の写真を撮影することができる。例えば、図１６に示されるように、不審者は白色の全身タイツを着ているといった手掛かりを得ることができる。
ステップＳ２６では、制御部８０が記憶部１０４に記憶された送信先の情報を取得し、生体情報及び写真を当該所定の送信先に送信する。具体的には、カメラ装置１１０によって撮影された写真は、生体情報送信部９６（図９参照）によって、指紋情報と共に所定の送信先に送信される。これにより、指紋情報及び写真を受信した者は、指紋情報、および、写真から不審者を特定することができる。なお、所定の送信先は、ユーザの保護者の端末や、警備会社の端末などである。
【００８７】
つまり、電子機器１０から指紋情報及び写真を受信した者は、操作部材３０を操作した第三者の手掛かりをさらに得ることができる。
【００８８】
なお、カメラ装置１１０は、静止画に限らず、動画を撮影することも可能である。
【００８９】
また、上記実施形態では、操作者によって操作部材３０が音発生操作状態から音停止操作状態に切り替えられると、音停止認証部９２によって生体認証が行われる。しかしながら、音停止認証部９２は、適宜省略可能である。この場合、操作部材３０が音発生操作状態から音停止操作状態に切り替えられる際に、指紋情報検出部７２によって検出された操作者の指紋情報は、記憶部１０４に記憶されるとともに、生体情報送信部９６によって所定の送信先に送信される。
【００９０】
また、上記実施形態では、指紋情報検出部７２によって検出された操作者の検出指紋情報が、制御部８０によって記憶部１０４に記憶されるとともに、生体情報送信部９６によって所定の送信先に送信される。しかしながら、検出指紋情報は、記憶部１０４に記憶されなくても良い。また、検出指紋情報が記憶部１０４又は他の記憶装置に記憶される場合は、生体情報送信部９６は省略されても良い。
【００９１】
また、上記実施形態の操作部材３０は、筐体１２から引き出され又は筐体１２に収容されることにより、音停止操作状態と音発生操作状態とに切り替えられる。しかしながら、操作部材は、例えば、筐体１２の側壁部１２Ｓに沿って筐体１２の上下方向に移動（スライド）されることにより、音停止操作状態と音発生操作状態とに切り替えられても良い。また、例えば、操作部材は、押される度に音停止操作状態と音発生操作状態とに切り替えられるオルタネイト型の押ボタンとされても良い。
【００９２】
また、筐体１２に対する操作部材の配置や大きさは、適宜変更可能である。
【００９３】
また、電子機器１０には、音発生装置２４の音を発生させる操作部材と、音発生装置の音を停止させる操作部材とが別々に設けられても良い。
【００９４】
また、上記実施形態では、指紋情報検出部７２がエリア型の指紋センサを含む。しかしながら、指紋情報検出部は、例えば、線型（スライド、スワイプ等）の指紋センサを含んでも良い。
【００９５】
また、上記実施形態では、操作部材３０に指紋情報検出部７２が設けられる。しかしながら、操作部材には、当該操作部材を操作する操作者の指紋情報以外の生体情報を検出する生体情報検出部が設けられても良い。
【００９６】
また、上記実施形態は、表示部にタッチパネル部を備える電子機器や、時計型やかつら型などのウエアラブル端末等にも適用可能である。
【００９７】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００９８】
なお、以上の実施形態に関し、さらに以下の付記を開示する。
【００９９】
（付記１）
筐体と、
前記筐体に設けられ、警報音を発生する音発生装置と、
前記筐体に設けられ、前記音発生装置の警報音を停止する操作を受け付ける操作部材と、
前記操作部材が前記操作を受け付けたか否かを判定する状態判定部と、
前記操作部材に設けられ、前記状態判定部が前記操作を受け付けたときに該操作部材を操作する操作者の生体情報を検出する生体情報検出部と、
を備える電子機器。
（付記２）
前記生体情報検出部は、操作者が前記操作部材を介して前記音発生装置の警報音を停止する操作に伴って、該操作者の生体情報を検出する、
付記１に記載の電子機器。
（付記３）
前記操作部材は、前記音発生装置に警報音を発生させる音発生操作状態と、前記音発生装置に警報音を発生させない音停止操作状態とに切り替えられ、
前記生体情報検出部は、操作者が前記操作部材を前記音発生操作状態から音停止操作状態に切り替える操作に伴って、該操作者の生体情報を検出する、
付記１又は付記２に記載の電子機器。
（付記４）
前記操作部材は、前記筐体に引き出し可能に収容され、
前記操作部材は、前記筐体から引き出された状態で前記音発生操作状態となり、前記筐体に収容された状態で前記音停止操作状態となる、
付記３に記載の電子機器。
（付記５）
前記生体情報検出部は、前記操作部材の引き出し方向の先端部に設けられる、
付記４に記載の電子機器。
（付記６）
前記生体情報検出部は、前記操作部材の前記先端部に設けられ、操作者の指が接触される接触面を有する、
付記５に記載の電子機器。
（付記７）
前記生体情報検出部は、前記接触面に接触された操作者の指の生体情報を検出する、
付記６に記載の電子機器。
（付記８）
操作者が前記操作部材を前記音発生操作状態から前記音停止操作状態へ切り替える操作に伴って、前記生体情報検出部が検出した生体情報と、認証用生体情報とを比較し、生体認証する音停止認証部と、
前記音停止認証部による生体認証が成功した場合、前記音発生装置に警報音を停止させる音停止部と、
を備える付記３〜付記７の何れか１つに記載の電子機器。
（付記９）
前記認証用生体情報を記録する認証用生体情報記憶部を備える、
付記８に記載の電子機器。
（付記１０）
前記生体情報検出部が検出した生体情報を、所定の送信先に送信する生体情報送信部を備え、
前記生体情報送信部は、前記音停止認証部による生体認証が失敗した場合、前記生体情報検出部が検出した生体情報を前記送信先に送信する、
付記８又は付記９に記載の電子機器。
（付記１１）
前記送信先を記憶する送信先記憶部を備える、
付記１０に記載の電子機器。
（付記１２）
前記筐体に設けられ、画像を表示する表示部と、
前記生体情報検出部を有し、前記操作部材に設けられ、前記表示部の画像を切り替えるボタン装置と、
前記操作部材の前記音停止操作状態において、操作者による前記ボタン装置の操作に伴って前記生体情報検出部が検出した前記操作者の生体情報と認証用生体情報とを比較し、生体認証する画像切替認証部と、
前記画像切替認証部による生体認証が成功した場合、前記表示部の画像を切り替える画像切替部と、
を備える付記３〜付記１１の何れか１つに記載の電子機器。
（付記１３）
前記筐体に設けられ、操作者が前記操作部材を前記音発生操作状態から前記音停止操作状態へ切り替える操作に伴って、該筐体の周囲を撮影するカメラ装置を備える、
付記３〜付記１２の何れか１つに記載の電子機器。
（付記１４）
前記生体情報検出部は、前記操作者の生体情報として指紋情報を検出する、
付記１〜付記１３の何れか１つに記載の電子機器。
（付記１５）
前記操作部材は、前記筐体の外周部に設けられる、
付記１〜付記１４の何れか１つに記載の電子機器。
（付記１６）
前記操作部材は、前記筐体の長手方向に沿った端部に設けられる、
付記１５に記載の電子機器。
（付記１７）
前記生体情報検出部は、エリア型指紋センサを含む、
付記１〜付記１６の何れか１つに記載の電子機器。
【符号の説明】
【０１００】
１０    電子機器
１２    筐体
１８    表示部
２４    音発生装置
３０    操作部材
３０Ｓ  操作部（操作部材の引き出し方向の先端部の一例）
４０    状態判別装置（状態判定部の一例）
６０    ボタン装置
７２    指紋情報検出部（生体情報検出部の一例）
７２Ａ  接触面（生体情報検出部の接触面の一例）
８２    画像切替認証部
８４    画像切替部
９２    音停止認証部
９４    音停止部
９６    生体情報送信部
１０４  記憶部（認証用生体情報記憶部及び送信先記憶部の一例）
１１０  カメラ装置
１２０  電子機器
１２２  表示部
Ｆ      操作者の指
【図１】
2019074908.tif 000003
【図２】
2019074908.tif 000004
【図３】
2019074908.tif 000005
【図４】
2019074908.tif 000006
【図５】
2019074908.tif 000007
【図６】
2019074908.tif 000008
【図７】
2019074908.tif 000009
【図８】
2019074908.tif 000010
【図９】
2019074908.tif 000011
【図１０】
2019074908.tif 000012
【図１１】
2019074908.tif 000013
【図１２】
2019074908.tif 000014
【図１３】
2019074908.tif 000015
【図１４】
2019074908.tif 000016
【図１５】
2019074908.tif 000017
【図１６】
2019074908.tif 000018